(57)【要約】      （修正有）【課題】新築の温室はもとより、既存の温室にも等しく適用可能な温室の屋根換気装置を提供する。【解決手段】合掌ユニット６が複数縦列に並べられ、各合掌ユニットの裾部に共通のシート止め材が接合され、頂部には共通の笠材９が接合されたものが一単位の小屋組ユニットとして構成され、温室の屋根頂部に少なくとも一単位の前記小屋組ユニットが載置され、裾部のシート止め材７が温室の骨組み材と連結されている。小屋組ユニットの笠材９のシート止め溝及び裾部のシート止め材７を利用して温室の被覆シート２９が止着されている。笠材の少なくとも一方のシート止め溝に一端を止着し傾斜面に沿って垂らした被覆シート２９の他端が棟方向に長い巻き軸に巻き込まれている。回転駆動手段３２が設置され、巻き軸の回転により小屋組ユニットの笠材とシート止め材との間の開口が開閉自在に構成されている。【選択図】図１
2005143448.tif 000002
【特許請求の範囲】
【請求項１】
温室の屋根に設置される簡易構造の換気装置であって、
２本の合掌材の頂部を相互にピン連結した合掌ユニットが複数縦列に並べられ、各合掌ユニットの裾部に共通のシート止め材が接合され、頂部には両側にシート止め溝を備えた共通の笠材が接合されたものが一単位の小屋組ユニットとして構成され、温室の屋根頂部に少なくとも一単位の前記小屋組ユニットが載置され、裾部のシート止め材が温室の骨組み材と連結されていること、
前記小屋組ユニットの笠材のシート止め溝及び裾部のシート止め材を利用して温室の被覆シートが止着されていると共に、笠材の少なくとも一方のシート止め溝に一端を止着し傾斜面に沿って垂らした被覆シートの他端が棟方向に長い巻き軸に巻き込まれており、この巻き軸を正逆方向に回転し、且つ任意の回転位置に止めることが可能な回転駆動手段が設置され、前記巻き軸の回転により前記小屋組ユニットの笠材とシート止め材との間の開口が開閉自在に構成されていることを特徴とする、温室の屋根換気装置。
【請求項２】
小屋組ユニットには、笠材のシート止め溝とシート止め材との略中間位置に小屋組ユニットの下部を覆う捨て貼りシートを止着するシート止め材が各合掌ユニットへ共通に接合されており、該シート止め材と裾部のシート止め材とを利用して下部捨て貼りシートが止着されていること、
小屋組ユニットの棟方向の端部に位置する合掌ユニット及びその内側に隣接する合掌ユニットの各合掌材に、小屋組ユニットの棟方向の端部を覆う捨て貼りシートを止着するシート止め材が接合されており、該二つのシート止め材を利用して端部捨て貼りシートが止着されていることを特徴とする、請求項１に記載した温室の屋根換気装置。
【請求項３】
裾部のシート止め材は、折り曲げ可能なステー部材を用いて合掌材の裾部へ連結されていることを特徴とする、請求項１又は２のいずれか一に記載した温室の屋根換気装置。
【発明の詳細な説明】
【技術分野】
【０００１】
この発明は、新築の温室はもとより、既存の温室にも等しく適用可能な温室の屋根換気装置の技術分野に属する。
【背景技術】
【０００２】
プラスチックシートを被覆材とする温室、或いはガラス板を使用したガラス温室など（以下、単に温室と総称する。）の室内空気を入れ換えて室温を適度に調節する手段として各種の換気装置が開発されている。特に、温室の屋根頂部に設けたいわゆる天窓を開閉する天窓タイプの換気装置は、温室内に滞留する熱気を効率的に放出して換気できる手段として注目されており、多様な換気装置が開発されている。
【０００３】
（ｉ）例えば特許文献１に記載の「簡易型温室の換気装置」は、温室の屋根頂部に天窓枠板が棟方向に平行に設けられ、該枠板の相互間に天窓が形成されている。上記天窓枠板の内部にエアバックが収容され、該エアバックにエア供給源が接続されている。通常時はエアバックを膨らませて天窓を閉鎖し、換気時にはエアバックをしぼませて天窓を開放する。
【０００４】
（ii）特許文献２に記載の「簡易型温室の換気装置」は、温室のアーチ枠体の屋根頂部に断面Ｃ字状のシート収容筒が棟方向に平行に設けられている。そのシート収容筒の相互間に形成された天窓には、下端をアーチ枠体に固定し両端を前記シート収容筒の上方に臨ませた天窓枠体が設けられている。天窓枠体は、中間にネット部を設けた天井シートで被覆されており、該天井シートの両端は左右のシート収容筒内のシート巻き軸に巻き込まれている。通常時は天井シートのシート部分で天窓を覆い、換気時には天井シートを巻き込みネット部を天窓位置まで移動させる。
【０００５】
（iii）特許文献３に記載の「ビニールハウスの換気装置」は、温室の骨組みの天井部に、温室全長に亘って天窓骨組みが設けられている。天窓骨組みの内部に温室全長に亘って回転自在に軸架した駆動軸が設けられ、該駆動軸には、先端部が上記天窓骨組みの外側に達するアームの基端部が連結されている。前記アームに回転自在に設けられたシート巻き軸には天窓用シートの基端部が巻き込まれており、その先端部は上記天窓骨組みの下部に止着されている。通常時は天窓骨組みを天窓用シートで覆い、換気時には駆動軸を回転させてアームに連結されたシート巻き軸を天窓骨組みに沿って移動させると共に、同シート巻き軸を回転させて天窓用シートを巻き取り天窓を開放する。
【０００６】
（iv）特許文献４に記載の「ビニールハウスの換気装置」は、温室の垂直中心に対して左右対称位置に且つアーチ骨組みに沿って移動可能な移動枠体が設けられており、ビニールシートが張設された前記移動枠体には移動手段が設けられている。通常時は移動枠体相互で温室の屋根頂部を塞ぎ、換気時には移動枠体をアーチ骨組みに沿って下降させ、移動枠体の相互間に天窓を形成する。
【特許文献１】特開平５−２３０６０号公報
【特許文献２】特開平５−２５２８３７号公報
【特許文献３】特開平６−４６６７９号公報
【特許文献４】特開平９−１８２５２９号公報
【発明の開示】
【発明が解決しようとする課題】
【０００７】
上記（ｉ）〜（iv）の換気装置は、温室と別構造とされているため、新築の温室はもとより、既存の温室にも等しく適用可能であることを注目できる。しかし、ほとんどの構成部材が専用品であるため高価であったり、簡易構造の温室へ設置するには、現場作業が大変面倒で大掛かりである、などの問題点があった。
【０００８】
（ｖ）ところで、本出願人は、以下に示す構成の換気装置とその構築方法を開発し特許出願している（特願２００２−３６８８１２号の明細書等）。
前記構築方法は、頂部及び裾部のシート止め材を縦材とし、その間に複数本の桟材（アングル材）を横材として連結した梯子構造で成る等長の二つのユニット枠をそれぞれ頂部においてヒンジ機構で連結して開き角を可変に構成された三角形状又はアーチ形状の換気枠単位体を、温室の屋根の外面部の棟方向に配置し、該換気枠単位体の裾部に設けた支持材を温室の屋根部骨組みと結合して棟方向に長く均等断面のほぼ三角形状又はアーチ形状の山形状に取り付けている。前記換気枠の頂部の棟方向に長いシート止め材に止着したプラスチックシートの端部を、棟方向に長い巻き軸へ巻き込み、この巻き軸を回転駆動する手段を設置している。裾部のシート止め材に温室の屋根を覆うプラスチックシートの端部を止着している。上記構成の換気装置のほとんどの構成部材は、既往の部材で構成しているので安価である。また、二つのユニット枠の頂部を連結して換気枠単位体を組み立てるまでの工程を現場サイトで行うことができるので、温室の屋根頂部での組み立て作業が少なく、組み立て作業が簡単で安全である。
【０００９】
換気装置は、換気効果の他に、雨漏りが生じない構成とされることが重要であるところ、上記（ｖ）の換気装置は屋根頂部の雨仕舞い処理が面倒である。具体的には、例えば温室の屋根頂部に換気枠単位体を設置してから、プラスチックシートで頂部を覆い、両端部を頂部のシート止め材に止着して雨仕舞い処理を行うので、屋根頂部でのプラスチックシートの止着作業が面倒である。また、頂部をプラスチックシートで覆った形態は、意匠性も良きとは云えない。
【００１０】
本発明の目的は、ほとんどの構成部材を既往の部材で構成することによって安価で、しかも、高所での組み立て作業が少なく、組み立て作業が簡単であることに変わりなく、更に、屋根頂部の雨仕舞い処理が簡単、且つ確実に行うことができ、意匠性に優れた温室の屋根換気装置を提供することである。
【課題を解決するための手段】
【００１１】
上記従来技術の課題を解決するための手段として、請求項１に記載した発明に係る温室の屋根換気装置は、
温室の屋根に設置される簡易構造の換気装置であって、
２本の合掌材の頂部を相互にピン連結した合掌ユニットが複数縦列に並べられ、各合掌ユニットの裾部に共通のシート止め材が接合され、頂部には両側にシート止め溝を備えた共通の笠材が接合されたものが一単位の小屋組ユニットとして構成され、温室の屋根頂部に少なくとも一単位の前記小屋組ユニットが載置され、裾部のシート止め材が温室の骨組み材と連結されていること、
前記小屋組ユニットの笠材のシート止め溝及び裾部のシート止め材を利用して温室の被覆シートが止着されていると共に、笠材の少なくとも一方のシート止め溝に一端を止着し傾斜面に沿って垂らした被覆シートの他端が棟方向に長い巻き軸に巻き込まれており、この巻き軸を正逆方向に回転し、且つ任意の回転位置に止めることが可能な回転駆動手段が設置され、前記巻き軸の回転により前記小屋組ユニットの笠材とシート止め材との間の開口が開閉自在に構成されていることを特徴とする。
【００１２】
請求項２記載の発明は、請求項１に記載した温室の屋根換気装置において、
小屋組ユニットには、笠材のシート止め溝とシート止め材との略中間位置に小屋組ユニットの下部を覆う捨て貼りシートを止着するシート止め材が各合掌ユニットに共通へ接合されており、該シート止め材と裾部のシート止め材とを利用して下部捨て貼りシートが止着されていること、
小屋組ユニットの棟方向の端部に位置する合掌ユニット及びその内側に隣接する合掌ユニットの各合掌材に、小屋組ユニットの棟方向の端部を覆う捨て貼りシートを止着するシート止め材が接合されており、該二つのシート止め材を利用して端部捨て貼りシートが止着されていることを特徴とする。
【００１３】
請求項３記載の発明は、請求項１又は２に記載した温室の屋根換気装置において、
裾部のシート止め材は、折り曲げ可能なステー部材を用いて合掌材の裾部へ連結されていることを特徴とする。
【発明の効果】
【００１４】
本発明に係る温室の屋根換気装置は、合掌材やシート止め材、巻き軸及び回転駆動手段などの構成部材を既往の部材で構成するので安価である。また、ほとんどの組み立て作業を現場サイトで行うことができ、高所での作業が少ないので、組み立て作業が簡単で安全である。
特に、両側にシート止め溝を備えた笠材を利用して小屋組ユニットの頂部を被覆シートで覆うので、頂部の雨仕舞い処理を簡単、且つ確実に行うことができる。しかも、頂部の構造がすっきりとした構造となるので意匠性に優れている。
【発明を実施するための最良の形態】
【００１５】
２本の合掌材の頂部を相互にピン連結した合掌ユニットが複数縦列に並べられ、各合掌ユニットの裾部に共通のシート止め材が接合され、頂部には両側にシート止め溝を備えた共通の笠材が接合されたものが一単位の小屋組ユニットとして構成され、温室の屋根頂部に少なくとも一単位の前記小屋組ユニットが載置され、裾部のシート止め材が温室の骨組み材と連結される。前記小屋組ユニットの笠材のシート止め溝及び裾部のシート止め材を利用して温室の被覆シートが止着されていると共に、笠材の少なくとも一方のシート止め溝に一端を止着し傾斜面に沿って垂らした被覆シートの他端が棟方向に長い巻き軸に巻き込まれる。この巻き軸を正逆方向に回転し、且つ任意の回転位置に止まることが可能な回転駆動手段が設置され、前記巻き軸の回転により前記小屋組ユニットの笠材とシート止め材との間の開口が開閉自在に構成され実施される。
【実施例１】
【００１６】
先ず、請求項１〜請求項３に記載した発明に係る温室の屋根換気装置（以下、換気装置と省略する。）の実施例１を、図１〜図６に基づいて説明する。本実施例の換気装置１は、図１に示すように、棟方向に平行に設けた複数本のアーチパイプ２…と、各アーチパイプ２を肩口で連結する陸梁（図示は省略）とで温室の骨組み材が構成され、プラスチックシートから成る被覆シート３で被覆された、通例の小、中規模の温室４の屋根頂部に設置される。
【００１７】
２本のＬ形形状のアングル材から成る合掌材５と５（又は５’と５’）の頂部を相互にピン連結した合掌ユニット６（又は６’）が複数（本実施例では６組）所定の間隔で縦列に並べられ、各合掌ユニット６、６’の裾部及び略中間部に共通のシート止め材７、８が接合され、頂部には両側にシート止め溝９ａ、９ａを備えた共通の笠材９が接合されたものが一単位の小屋組ユニット１０として構成され、該一単位の小屋組ユニット１０が温室４の屋根頂部に載置されている。
【００１８】
具体的には、図１に示すように、二種類の合掌ユニット６と６’を使い分け、合掌ユニット６が小屋組ユニット１０の棟方向の両端部及びその内側に隣接するように配置され、前記合掌ユニット６、６と６、６との間に複数本の合掌ユニット６’…が配置されている。前記合掌ユニット６の合掌材５は、図２に示すように、鉛直部５ａの頂部が他方側の合掌材５の鉛直部５ａの頂部とボルト１１とナット（図示を省略）で開き角の調整ができるように回転可能にピン連結されている。前記鉛直部５ａの略中間部には、補強用のブレース材１２の端部をボルト接合できるようにインサートナット１３が埋め込まれており、ブレース材１２の両端部が向かい合う合掌材５、５のインサートナット１３、１３にボルト１４で接合され、合掌ユニット６は頑丈な構成とされている（図４を参照）。なお、前記ブレース材１２は既往のシート止め材等で構成される。
【００１９】
合掌材５の水平部５ｂの頂部と略中間部には、笠材９と中間部のシート止め材８をボルト接合できるようにインサートナット１５、１６が埋め込まれている。前記水平部５ｂの裾部には、小屋組ユニット１０の裾部のシート止め材７を固定するためのステー部材１７がリベット止めされている。そして、ボルト接合された笠材９のシート止め溝９ａと中間部のシート止め材８との間、及び同シート止め材８と上記ステー部材１７との間には、小屋組ユニット１０の側部を覆う捨て貼りシート１８を止着する既往のシート止め材１９がリベット止めされている。ちなみに、本実施例では、下側のシート止め材１９の下端部とステー部材１７の上端部とを重ねて共通のリベットで止めている（図３を参照）。
【００２０】
上記合掌ユニット６’は、上述した合掌ユニット６と略同様の構成とされているが、ブレース材１２で補強されないので、合掌材５’の鉛直部のインサートナット１３が省略されている。また、捨て貼りシート１８が止着されないので、水平部のシート止め材１９が省略されている。
【００２１】
各合掌材５（５’）の裾部に取り付けられたステー部材１７の下部には、ボルトねじ込み部１７ａがバーリング加工によって形成されており、シート止め材７に形成されたボルト孔７ａが、各ステー部材１７のボルトねじ込み部１７ａと同心位置となるように配置され、ボルト２０がねじ込まれている。なお、図３に示すように、ステー部材１７の表面には、切り欠き部１７ｂが形成されており、折り曲げてシート止め材７の固定角度を調整できる構成とされている（請求項３記載の発明）。
【００２２】
中間部のシート止め材８は、小屋組ユニット１０の下部を覆う捨て貼りシート２１の上端を止着するために、同小屋組ユニット１０の裾部のシート止め材７と笠材９のシート止め溝９ａとの略中間位置に接合されており、シート止め材８に形成されたボルト孔８ａが、各合掌材５（５’）のインサートナット１６と同心位置となるように配置され、ボルト２２がねじ込まれている（請求項２記載の発明）。
【００２３】
頂部の笠材９は、合掌ユニット６（６’）を所定の開き角θで固定できるように、両側のシート止め溝９ａ、９ａが角度θの開いた状態で配置され、その上端部相互は丸みを持たせた囲い部９ｂによって連結されている。この笠材９のシート止め溝９ａに形成されたボルト孔９ｃが、各合掌材５（５’）のインサートナット１５と同心位置となるように配置され、ボルト２３がねじ込まれている。
【００２４】
温室４の屋根頂部に載置された上記構成の小屋組ユニット１０の裾部のシート止め材７は、アーチパイプ２と交差するように配置されており、その交点がくさび２４ａを打ち込む形式の既往の連結具２４で強く連結されている（図５を参照）。
【００２５】
小屋組ユニット１０の棟方向の端部に位置する合掌ユニット６とその内側に隣接する合掌ユニット６との間は、捨て貼りシート１８で覆われ、その両端が合掌ユニット６のシート止め材１９に止め線２５を用いて止着されている（図１を参照）。更に、小屋組ユニット１０の端部位置に配置された合掌ユニット６には、具体的な図示は省略するが、同小屋組ユニット１０の端面を覆うための被覆シート２６が止着されている。
【００２６】
そして、小屋組ユニット１０の中間部のシート止め材８と裾部のシート止め材７との間は、捨て貼りシート２１で覆われ、その上端は前記中間部のシート止め材８に止め線２７を用いて止着されている。下端は、温室４の被覆シート３の上端と共に裾部のシート止め材７に止め線２８を用いて止着されている（請求項２記載の発明）。小屋組ユニットの両端部及び下部は捨て貼りシートで覆われるので、確実に雨漏りを防ぐことができる。
【００２７】
笠材９のシート止め溝９ａには、中間部のシート止め材８との間に構成される開口を覆うのに十分な長さと幅寸を有する被覆シート２９の一端が止め線３０を用いて止着され、傾斜面に沿って垂らした前記被覆シート２９の他端が棟方向に長い巻き軸３１に巻き込まれている。この巻き軸３１の端部には、同巻き軸３１を正逆方向に回転し、且つ任意の回転位置に止めることが可能な回転駆動手段３２が設置されている。前記回転駆動手段３２は、例えば特許第２８４７６１８号公報に記載されている回転駆動手段が使用され、入力軸によってのみ出力軸を回転できる構成である。その出力軸が前記巻き軸３１に連結され、入力軸に連結したクランク状のハンドル３３を正逆に回転させることで巻き軸３１を回転させることができる。したがって、図６に示すように、ハンドル３３を回転させて巻き軸３１で被覆シート２９を巻き込むと、前記巻き軸３１は回転して上昇し小屋組ユニット１０の笠材９のシート止め溝９ａと中間部のシート止め材８との間の開口が開放される。逆に、巻き軸３１で被覆シート２９を巻き戻すと、前記巻き軸３１は回転して下降し開口が閉鎖される。ハンドル３３を回転させるだけで簡単に開口の開け閉めを行うことができる。
【００２８】
前記笠材９のシート止め溝９ａと中間部のシート止め材８との間には、図１に示すように、帯状の押さえバンド３４が適度に強い張力で止着され、巻き軸３１による開口の開け閉めの安全性が確保されている。
【００２９】
上記の換気装置１は、先ず、現場サイトで合掌ユニット６、６’を所定の間隔で縦列に並べ、その頂部を共通の笠材９で連結し、裾部及び中間部を共通のシート止め材７、８で連結して小屋組ユニット１０を構成する。次に、小屋組ユニット１０の側部を覆う捨て貼りシート１８をシート止め材１９に止着し、温室４の屋根頂部に載置して連結具２４を用いて連結する。小屋組ユニット１０の下部を覆う捨て貼りシート２１の上端を中間部のシート止め材８に止着し、下端を温室４の被覆シート３の上端と共に裾部のシート止め材７に止着する。そして、笠材９のシート止め溝９ａに被覆シート２９の一端を止着し、他端を巻き軸３１に巻き付ける。最後に、押さえバンド３４を笠材９のシート止め溝９ａと中間部のシート止め材８との間に緊張させると、換気装置１の組み立て作業が完了する。
【００３０】
本発明に係る温室の屋根換気装置は、合掌材５（５’）やシート止め材７、８、巻き軸３１及び回転駆動手段３２などの構成部材が既往の部材で構成されているので安価である。また、ほとんどの組み立て作業を現場サイトで行うことができ、高所での作業が少ないので、組み立て作業が簡単で安全である。
【００３１】
特に、シート止め溝９ａを両側に備えた笠材９を利用して小屋組ユニット１０の頂部を被覆シート２９で覆うので、頂部の雨仕舞い処理を簡単、且つ確実に行うことができる。しかも、頂部の構造がすっきりした構造となるので、意匠性に優れている。
【００３２】
本実施例の換気装置１は、小屋組ユニット１０の両側に開口が構成されているが、この構成に限らない。すなわち、図７に示すように、開口が一側にのみ構成されても良く、開口を構成しない側の温室４の被覆シート３は笠材９のシート止め溝９ａと裾部のシート止め材７とを利用して止着される。なお、開口を構成しない側には下部捨て貼りシート２１は止着されない。
【実施例２】
【００３３】
換気装置１は、一単位の小屋組ユニット３５（３５’）が必要長さ連結されても良い。
この場合には、両側に配置される小屋組ユニット３５とその間に配置される小屋組ユニット３５’との二種類を使い分けて連結される。前記小屋組ユニット３５は、実施例１の小屋組ユニット１０と略同様の構成とされているが、図８に示すように、一端部にのみ端部捨て貼りシートを止着できる構成とされ、他端部からは笠材９及びシート止め材７、８の端部が連結代として突き出されている。
【００３４】
小屋組ユニット３５’も、実施例１の小屋組ユニット１０と略同様の構成とされているが、図９に示すように、端部捨て貼りシートが止着されない構成とされ、両端部からは笠材９及びシート止め材７、８の端部が連結代として突き出されている。
【００３５】
上記各小屋組ユニット３５、３５’は、図１０に示すように、隣接する笠材９及びシート止め材７、８の連結代同士が既往の連結具３６を用いて連結され、実施例１と略同様に温室４の屋根頂部に設置される。
【実施例３】
【００３６】
換気装置１は、図１１に示すように、大型の合掌型温室３７の屋根頂部に設置されても良い。
この場合、小屋組ユニット１０の裾部のシート止め材７は温室３７の屋根骨組み材であるシート止め材３８と連結される。具体的には、図１２に示すように、前記裾部のシート止め材７は温室３７のシート止め材３８と交差するように配置され、その交点がくさび３９ａを打ち込む形式の既往の連結具３９で強く連結される。
【図面の簡単な説明】
【００３７】
【図１】本発明に係る温室の屋根換気装置を温室の屋根頂部に設置した状態を示した斜視図である。
【図２】合掌ユニットの構造を示した斜視図である。
【図３】ステー部材を折り曲げた状態を示した側面図である。
【図４】合掌ユニットと笠材、及びシート止め材等の構造図である。
【図５】裾部のシート止め材と温室のアーチパイプとの連結構造を示した斜視図である。
【図６】換気装置の開口の開閉機構を模式的に示した側面図である。
【図７】小屋組ユニットの一側にのみ開口が構成された場合の開閉機構を模式的に示した側面図である。
【図８】一単位の小屋組ユニットが必要長さ連結される場合に、両側に配置される小屋組ユニットを示した斜視図である。
【図９】一単位の小屋組ユニットが必要長さ連結される場合に、中間に配置される小屋組ユニットを示した斜視図である。
【図１０】小屋組ユニット同士の連結構造を示した図である。
【図１１】換気装置を大型の合掌型温室の屋根頂部に設置した状態を示した斜視図である。
【図１２】裾部のシート止め材と温室の屋根骨組み材であるシート止め材との連結構造を示した斜視図である。
【符号の説明】
【００３８】
１          温室の屋根換気装置
３          温室の被覆シート
４          温室
５、５’    合掌材
６、６’    合掌ユニット
７          裾部のシート止め材
８          中間部のシート止め材
９          笠材
１０        小屋組ユニット
１７        ステー部材
１８        小屋組ユニットの側部を覆う捨て貼りシート
２１        小屋組ユニットの下部を覆う捨て貼りシート
２９        被覆シート
３１        巻き軸
３２        回転駆動手段
３５        小屋組ユニット
３５’      小屋組ユニット
３６        連結具
３７        温室
【図１】
2005143448.tif 000003
【図２】
2005143448.tif 000004
【図３】
2005143448.tif 000005
【図４】
2005143448.tif 000006
【図５】
2005143448.tif 000007
【図６】
2005143448.tif 000008
【図７】
2005143448.tif 000009
【図８】
2005143448.tif 000010
【図９】
2005143448.tif 000011
【図１０】
2005143448.tif 000012
【図１１】
2005143448.tif 000013
【図１２】
2005143448.tif 000014